(57)【要約】【課題】光ディスク装置に最適なデフォーカス値を設定可能とさせると共に、光ディスクに対して光学式ピックアップ装置に良好にトラックジャンプを行わせ易くさせる。また、そのデフォーカス値設定方法を提供する。【解決手段】光学式ピックアップ装置２によって光ディスクＭから読み出された信号に基づいて、ジッタ値を検出するジッタ値検出回路９と、ジッタ値検出回路９を経由した信号に基づいて、光ディスクＭに対する対物レンズ３ｂの焦点合せが行われるときに、対物レンズ３ｂを光軸方向Ｄｆに沿って動かすために用いられるデフォーカス値を調整させると共に、デフォーカス値に基づいてデフォーカス調整を行わせるデフォーカス値設定回路１３とを備え、光ディスクＭに対し、光学式ピックアップ装置２のトラックジャンプが行われるときに、デフォーカス値の変更を可能とさせた光ディスク装置１を構成する。【選択図】図１
2008181629.tif 000002
【特許請求の範囲】
【請求項１】
光学式ピックアップ装置によって光ディスクから読み出された信号に基づいて、ジッタ値を検出するジッタ値検出回路と、
該ジッタ値検出回路を経由した信号に基づいて、該光ディスクに対する対物レンズの焦点合せが行われるときに、該対物レンズを光軸方向に沿って動かすために用いられるデフォーカス値を調整させると共に、該デフォーカス値に基づいてデフォーカス調整を行わせるデフォーカス値設定回路と、
を備え、
該光ディスクに対し、該光学式ピックアップ装置のトラックジャンプが行われるときに、該デフォーカス値の変更が可能とされた
ことを特徴とする光ディスク装置。
【請求項２】
対物レンズを有する光学式ピックアップ装置を備えた光ディスク装置を用いて、光ディスクから読み出された信号のジッタ値を検出させると共に、
該ジッタ値に基づいて、該光ディスクに対する該対物レンズの焦点合せを行わせるときに、該対物レンズを光軸方向に沿って動かすために用いるデフォーカス値を調整させて、該光ディスクに対する該対物レンズのフォーカス調整を行わせる光ディスク装置のデフォーカス値設定方法であって、
必要に応じて、前記デフォーカス値の基準値を含む所定範囲の数値内にて該デフォーカス値を段階的に変更させる毎に前記ジッタ値を検出させ、
検出された各ジッタ値における最大ジッタ値と最小ジッタ値との差の値に基づいて、最適なデフォーカス値を設定させ、
前記光ディスクに対し、前記光学式ピックアップ装置にトラックジャンプを行わせるときに、必要に応じて該デフォーカス値を変更させる
ことを特徴とする光ディスク装置のデフォーカス値設定方法。
【請求項３】
光学式ピックアップ装置に装備された光検出器において検出された信号に基づき生成されたフォーカスエラー信号が入力されると共に、光ディスクの面に対して直交する方向とされる光軸方向に略沿って該光学式ピックアップ装置に装備された対物レンズを変位させる制御信号を生成するフォーカスサーボ回路と、
該光検出器で検出された信号に基づいて、ジッタ値を検出するジッタ値検出回路と、
該ジッタ値検出回路を経由した信号に基づいて、該光ディスクに対する該対物レンズの焦点合せを行わせるときに、該対物レンズを該光軸方向に沿って動かすために用いるデフォーカス値を調整させると共に、該デフォーカス値に基づいて、該フォーカスサーボ回路に対しデフォーカス調整を行わせるデフォーカス値設定回路と、
を備える光ディスク装置を用いて、該光ディスクに対する該対物レンズのフォーカス調整を行わせる光ディスク装置のデフォーカス値設定方法であって、
前記光ディスクから信号を読み出させて前記ジッタ値を検出させるときに、
必要に応じて、前記デフォーカス値の基準値を含む所定範囲の数値内にて該デフォーカス値を段階的に変更させる毎に該ジッタ値を検出させ、
検出された各ジッタ値における最大ジッタ値と最小ジッタ値との差の値に基づいて、最適なデフォーカス値を設定させ、
該光ディスクに対し、前記光学式ピックアップ装置にトラックジャンプを行わせるときに、必要に応じて該デフォーカス値を変更させる
ことを特徴とする光ディスク装置のデフォーカス値設定方法。
【請求項４】
前記最大ジッタ値と最小ジッタ値との差の値が予め定められた所定値よりも大きい値とされたときに、該最小ジッタ値に対応した前記デフォーカス値を前記最適なデフォーカス値として設定させる
ことを特徴とする請求項２又は３に記載の光ディスク装置のデフォーカス値設定方法。
【請求項５】
前記最大ジッタ値と最小ジッタ値との差の値が予め定められた所定値以下の小さい値とされたときに、前記デフォーカス値の前記基準値を前記最適なデフォーカス値として設定させる
ことを特徴とする請求項２〜４の何れか１項に記載の光ディスク装置のデフォーカス値設定方法。
【請求項６】
前記光ディスクに対し前記対物レンズの前記フォーカス調整を行わせるときに、始めに前記デフォーカス値の前記基準値に基づいて前記ジッタ値を検出させ、検出された該ジッタ値が予め定められた所定のジッタ値よりも大きい値とされたときに、該デフォーカス値の該基準値を含む前記所定範囲の数値内にて該デフォーカス値を段階的に変更させる毎に該ジッタ値を検出させる
ことを特徴とする請求項２〜５の何れか１項に記載の光ディスク装置のデフォーカス値設定方法。
【請求項７】
前記光ディスクに対し前記対物レンズの前記フォーカス調整を行わせるときに、始めに前記デフォーカス値の前記基準値に基づいて前記ジッタ値を検出させ、検出された該ジッタ値が予め定められた所定のジッタ値以下の小さい値とされたときに、該デフォーカス値の該基準値を含む前記所定範囲の数値内にて該デフォーカス値を段階的に変更させる毎に該ジッタ値を検出させることなく、該デフォーカス値の該基準値を前記最適なデフォーカス値として設定させる
ことを特徴とする請求項２〜６の何れか１項に記載の光ディスク装置のデフォーカス値設定方法。
【請求項８】
前記最適なデフォーカス値が前記基準値以外の前記数値に設定された場合において、前記光ディスクに対し、前記光学式ピックアップ装置に前記トラックジャンプを行わせるときに、前記デフォーカス値を該基準値に設定させる
ことを特徴とする請求項２〜７の何れか１項に記載の光ディスク装置のデフォーカス値設定方法。
【請求項９】
前記光ディスクに対する前記光学式ピックアップ装置の前記トラックジャンプが終了したのちに、前記デフォーカス値を前記基準値以外の前記数値に戻す
ことを特徴とする請求項８に記載の光ディスク装置のデフォーカス値設定方法。
【請求項１０】
請求項２〜９の何れか１項に記載の光ディスク装置のデフォーカス値設定方法が実行可能とされた
ことを特徴とする請求項１に記載の光ディスク装置。
【発明の詳細な説明】
【技術分野】
【０００１】
本発明は、光学式ピックアップ装置より照射されるレーザ光によって光ディスクに信号を記録させることや、レーザ光によって光ディスクに記録された信号を再生させることが可能な光ディスク装置およびそのデフォーカス値設定方法に関する。
【背景技術】
【０００２】
光ディスク装置の光学式ピックアップ装置（OPU）より照射されるレーザ光は、光ディスクの信号面に合焦される。レーザ（LASER）は、「light amplification by stimulated
emission of radiation」の略称である。光ディスクの信号面にレーザ光を合焦させる技術いわゆるフォーカス制御技術として、種々のものがある。一般に、光学式ピックアップ装置に組み込まれた光検出器より得られる信号を利用してフォーカス制御が行われる。
【０００３】
フォーカスとは、例えば焦点やピントを意味する。また、フォーカシングとは、焦点を合わせることや、焦点が合わせられることを意味する。また、この明細書におけるデフォーカス調整とは、例えば焦点が合わせられていないものに対し、焦点合せを行う調整作業を意味する。
【０００４】
フォーカス制御が記載されたものについて説明すると、例えば、反射率が状態により異なる光ディスクまたは照射した光の熱により反射率が変化する相変化光ディスクにおいて、短時間に確実にフォーカス引き込み動作を行うフォーカス制御装置およびフォーカス引き込み方法というものがある（例えば、特許文献１参照。）。
【０００５】
また、フォーカス制御は、一般に、フォーカスサーボ回路と呼ばれる回路によって行われ、対物レンズの変位動作は、例えば対物レンズの動作中心となる位置を基準として行われる。サーボとは、例えば制御の対象の状態を測定し、予め定められた基準値と比較して、自動的に修正制御する機構のもの等を意味する。
【０００６】
例えば、フォーカス機構にて任意のオフセット（OFFSET）が印加可能で、フォーカスオフセット（FOCUS_OFFSET）いわゆるデフォーカス（DEFOCUS）により、ディスク（DISC）のデータ読込み時におけるジッタ（jitter）の調整を行うシステムが装備された光学式ピックアップ装置というものがある。ジッタとは、例えば信号の微妙な揺れや歪を意味する。
【０００７】
例えば、再生信号などの信号に含まれるジッタ値が検出されることにより、対物レンズの動作中心の位置が調整される光ピックアップ装置というものがある（例えば、特許文献２参照。）。
【０００８】
通常、光学式ピックアップ装置においては、フォーカス（FOCUS）のＦバイアス（F BIAS）値いわゆるデフォーカス値が可変され、最適なジッタ値にてデフォーカス値が設定される。
【０００９】
例えば、ピックアップの焦点の基準位置を変移させるフォーカスバイアス量と、ピックアップにより読み取られたデータのジッタ値との対応関係を検出することにより、光ディスクに対応したフォーカスバイアス量が求められる光ディスク読取装置というものがある（例えば、特許文献３参照。）。
【００１０】
光ディスク装置におけるフォーカス制御は、光検出器によって得られたフォーカスエラ
ー信号が利用されて行われる。フォーカス制御により、対物レンズが光ディスクの面に対して直交する方向に略沿って変位させられると、例えば特許文献１に記載された如く、Ｓ字カーブと呼ばれるフォーカスエラー信号が得られる。そして、フォーカスエラー信号のレベルが、Ｓ字カーブのゼロクロスと呼ばれる点を中心としたフォーカシング制御可能範囲内に入ったときに、フォーカスサーボ動作が行われフォーカス制御が行われる。フォーカスサーボ動作が行われることにより、レーザダイオードより照射されるレーザ光を光ディスクの信号面に合焦させる動作が行われる。
【特許文献１】特開２００２−３４２９４８号公報（第１，３〜５頁、第１−５図）
【特許文献２】特開平７−２６２５８４号公報（第１，２頁、第１−６図）
【特許文献３】特開平１０−２２８６５２号公報（第１，２頁、第１−８図）
【発明の開示】
【発明が解決しようとする課題】
【００１１】
従来の光学式ピックアップ装置においては、光学式ビックアップ装置自体の固体差や、光ディスクの固体差により、フォーカスサーボ動作によって制御される合焦点が必ずしも最良の合焦点とならず、フォーカスサーボ動作が最適な状態で行われないという問題があった。
【００１２】
前記問題を解決するために、例えば特許文献３に示す光ディスク読取装置が提案された。しかしながら、特許文献３に示す光ディスク読取装置においては、例えば演算処理によってフォーカスバイアス量が設定されるため、設定処理に要する時間が長くなるという問題が懸念される。
【００１３】
また、例えばジッタ値の最小値に基づいてフォーカスバイアス量を設定させる方法が行われる場合には、次の問題が懸念される。例えば、使用される光ディスクの中には、ジッタ値の変化が極僅かなものがある。このような光ディスクの場合に設定されるバイアス量は、検出範囲の端のフォーカスバイアス量になることがあった。このようにフォーカスバイアス量が設定された場合には、フォーカスサーボ動作が不安定になるという問題があった。
【００１４】
詳細に説明すると、光学式ピックアップ装置によってデフォーカス値が調整されるときに、デフォーカス値に対応するジッタ値が殆ど変化しない場合や、デフォーカス値を０に設定させても、読込み安定なジッタ値となる光ディスクがある。このような光ディスクに対し、最適なジッタに対応するように偏倚したデフォーカス値が設定されると、このデフォーカス値によってサーボが不安定となって、フォーカス落ちいわゆるＦ落ち等が生じることがある。
【００１５】
フォーカス落ちとは、例えば光学式ピックアップ装置から出射されたレーザ光の焦点が、追従中のディスクのピット部に対してずらされ、このことからディスクに記録されたデータが読取不能となることを意味する。また、ピットとは、穴やへこみ状のものを意味する。
【００１６】
例えば、検出されたジッタに基づいてデフォーカス調整が行われるときに、ジッタ変化が少ない光学式ピックアップ装置においては、Ｆ落ちが生じることがあった。デフォーカス調整が行われるときに、ジッタ変化の少ない光学式ピックアップ装置は、対物レンズの動作中心に対応するセンタ値から離れたデフォーカス値で設定が行われる可能性があった。このような設定が行われた光学式ピックアップ装置においては、Ｆ落ちが発生することがあった。
【００１７】
また、光学式ピックアップ装置にてデフォーカス調整が行われるときに０以外の値がデ
フォーカス値として設定された場合に、光ディスクに対する光学式ピックアップ装置のトラックジャンプが行われるときにトラック捕捉ができないことがあるという問題が発生されていた。
【００１８】
本発明は、上記した問題点を解決することにある。本発明は、上記した点に鑑み、最適なデフォーカス値が設定可能とされると共に、光ディスクに対するトラックジャンプが良好に行われ易い光学式ピックアップ装置を有する光ディスク装置およびそのデフォーカス値設定方法を提供することを目的とする。
【課題を解決するための手段】
【００１９】
上記目的を達成するために、本発明の請求項１に係る光ディスク装置は、光学式ピックアップ装置によって光ディスクから読み出された信号に基づいて、ジッタ値を検出するジッタ値検出回路と、該ジッタ値検出回路を経由した信号に基づいて、該光ディスクに対する対物レンズの焦点合せが行われるときに、該対物レンズを光軸方向に沿って動かすために用いられるデフォーカス値を調整させると共に、該デフォーカス値に基づいてデフォーカス調整を行わせるデフォーカス値設定回路と、を備え、該光ディスクに対し、該光学式ピックアップ装置のトラックジャンプが行われるときに、該デフォーカス値の変更が可能とされたことを特徴とする。
【００２０】
上記構成により、最適なデフォーカス値を設定可能な光ディスク装置が構成される。ジッタとは、例えば信号の微妙な揺れや歪を意味する。また、フォーカスとは、例えば焦点やピントを意味する。また、デフォーカス調整とは、例えば焦点が合わせられていないものに対し、焦点合せを行う調整作業を意味する。光学式ピックアップ装置によって、光ディスクから読み出された信号に基づいて検出されたジッタ値と、検出されたジッタ値に基づくデフォーカス値とにより、最適なデフォーカス値が光ディスク装置に設定される。また、光ディスクに対して光学式ピックアップ装置のトラックジャンプが行われるときに、デフォーカス値の変更が可能な光ディスク装置が構成されていれば、光ディスクに対し光学式ピックアップ装置のトラックジャンプが行われるときに、トラック捕捉ができないことがあるという不具合の発生は回避され易くなり、光ディスクに対する光学式ピックアップ装置のトラックジャンプは、良好に行われ易くなる。
【００２１】
請求項２に係る光ディスク装置のデフォーカス値設定方法は、対物レンズを有する光学式ピックアップ装置を備えた光ディスク装置を用いて、光ディスクから読み出された信号のジッタ値を検出させると共に、該ジッタ値に基づいて、該光ディスクに対する該対物レンズの焦点合せを行わせるときに、該対物レンズを光軸方向に沿って動かすために用いるデフォーカス値を調整させて、該光ディスクに対する該対物レンズのフォーカス調整を行わせる光ディスク装置のデフォーカス値設定方法であって、必要に応じて、前記デフォーカス値の基準値を含む所定範囲の数値内にて該デフォーカス値を段階的に変更させる毎に前記ジッタ値を検出させ、検出された各ジッタ値における最大ジッタ値と最小ジッタ値との差の値に基づいて、最適なデフォーカス値を設定させ、前記光ディスクに対し、前記光学式ピックアップ装置にトラックジャンプを行わせるときに、必要に応じて該デフォーカス値を変更させることを特徴とする。
【００２２】
上記構成により、光ディスク装置に最適なデフォーカス値が設定される。必要に応じて、デフォーカス値の基準値を含む所定範囲の数値内にてデフォーカス値を段階的に変更させる毎にジッタ値を検出させ、検出された各ジッタ値における最大ジッタ値と最小ジッタ値との差の値に基づいて、最適なデフォーカス値を設定させるので、光ディスク装置に最適なデフォーカス値が設定される。また、光ディスクに対して光学式ピックアップ装置にトラックジャンプを行わせるときに、必要に応じてデフォーカス値を変更させるので、光ディスクに対して光学式ピックアップ装置にトラックジャンプを行わせる時に、トラック
捕捉ができないことがあるという不具合の発生は回避され易くなり、光ディスクに対する光学式ピックアップ装置のトラックジャンプは、良好に行われ易くなる。
【００２３】
請求項３に係る光ディスク装置のデフォーカス値設定方法は、光学式ピックアップ装置に装備された光検出器において検出された信号に基づき生成されたフォーカスエラー信号が入力されると共に、光ディスクの面に対して直交する方向とされる光軸方向に略沿って該光学式ピックアップ装置に装備された対物レンズを変位させる制御信号を生成するフォーカスサーボ回路と、該光検出器で検出された信号に基づいて、ジッタ値を検出するジッタ値検出回路と、該ジッタ値検出回路を経由した信号に基づいて、該光ディスクに対する該対物レンズの焦点合せを行わせるときに、該対物レンズを該光軸方向に沿って動かすために用いるデフォーカス値を調整させると共に、該デフォーカス値に基づいて、該フォーカスサーボ回路に対しデフォーカス調整を行わせるデフォーカス値設定回路と、を備える光ディスク装置を用いて、該光ディスクに対する該対物レンズのフォーカス調整を行わせる光ディスク装置のデフォーカス値設定方法であって、前記光ディスクから信号を読み出させて前記ジッタ値を検出させるときに、必要に応じて、前記デフォーカス値の基準値を含む所定範囲の数値内にて該デフォーカス値を段階的に変更させる毎に該ジッタ値を検出させ、検出された各ジッタ値における最大ジッタ値と最小ジッタ値との差の値に基づいて、最適なデフォーカス値を設定させ、該光ディスクに対し、前記光学式ピックアップ装置にトラックジャンプを行わせるときに、必要に応じて該デフォーカス値を変更させることを特徴とする。
【００２４】
上記構成により、光ディスク装置に最適なデフォーカス値が設定される。サーボとは、例えば制御の対象の状態を測定し、予め定められた基準値と比較して、自動的に修正制御する機構のもの等を意味する。必要に応じて、デフォーカス値の基準値を含む所定範囲の数値内にてデフォーカス値を段階的に変更させる毎にジッタ値を検出させ、検出された各ジッタ値における最大ジッタ値と最小ジッタ値との差の値に基づいて、最適なデフォーカス値を設定させるので、光ディスク装置に最適なデフォーカス値が設定される。光ディスク装置に最適なデフォーカス値が設定されるので、光ディスクに対し、光学式ピックアップ装置は、安定したフォーカスサーボ動作を行うこととなる。また、光ディスクに対して光学式ピックアップ装置にトラックジャンプを行わせるときに、必要に応じてデフォーカス値を変更させるので、光ディスクに対して光学式ピックアップ装置にトラックジャンプを行わせる時に、トラック捕捉ができないことがあるという不具合の発生は回避され易くなり、光ディスクに対する光学式ピックアップ装置のトラックジャンプは、良好に行われ易くなる。
【００２５】
請求項４に係る光ディスク装置のデフォーカス値設定方法は、請求項２又は３に記載の光ディスク装置のデフォーカス値設定方法において、前記最大ジッタ値と最小ジッタ値との差の値が予め定められた所定値よりも大きい値とされたときに、該最小ジッタ値に対応した前記デフォーカス値を前記最適なデフォーカス値として設定させることを特徴とする。
【００２６】
上記構成により、光ディスク装置を構成する光学式ピックアップ装置は、光ディスクに対し、安定したフォーカスサーボ動作を行う。最大ジッタ値と最小ジッタ値との差の値が予め定められた所定値よりも大きい値とされた光ディスクは、ジッタ特性の悪い光ディスクとされる。ジッタ特性の悪い光ディスクから信号が読み出されるときには、最小ジッタ値に対応したデフォーカス値を最適なデフォーカス値として設定させるので、安定したフォーカスサーボ動作が光学式ピックアップ装置にて実行される。
【００２７】
請求項５に係る光ディスク装置のデフォーカス値設定方法は、請求項２〜４の何れか１項に記載の光ディスク装置のデフォーカス値設定方法において、前記最大ジッタ値と最小
ジッタ値との差の値が予め定められた所定値以下の小さい値とされたときに、前記デフォーカス値の前記基準値を前記最適なデフォーカス値として設定させることを特徴とする。
【００２８】
上記構成により、光ディスク装置を構成する光学式ピックアップ装置は、光ディスクに対し、安定したフォーカスサーボ動作を行う。最大ジッタ値と最小ジッタ値との差の値が予め定められた所定値以下の小さい値とされた光ディスクは、ジッタ特性が良い光ディスクとされる。ジッタ特性が良い光ディスクから信号が読み出されるときには、デフォーカス値の基準値を最適なデフォーカス値として光ディスク装置に設定させるので、光学式ピックアップ装置のフォーカスサーボ動作に不具合が生じることなく、安定したフォーカスサーボ動作が光学式ピックアップ装置にて実行される。
【００２９】
請求項６に係る光ディスク装置のデフォーカス値設定方法は、請求項２〜５の何れか１項に記載の光ディスク装置のデフォーカス値設定方法において、前記光ディスクに対し前記対物レンズの前記フォーカス調整を行わせるときに、始めに前記デフォーカス値の前記基準値に基づいて前記ジッタ値を検出させ、検出された該ジッタ値が予め定められた所定のジッタ値よりも大きい値とされたときに、該デフォーカス値の該基準値を含む前記所定範囲の数値内にて該デフォーカス値を段階的に変更させる毎に該ジッタ値を検出させることを特徴とする。
【００３０】
上記構成により、光ディスクに対応する最適なデフォーカス値が光ディスク装置に設定される。光ディスクに対し対物レンズのフォーカス調整を行わせるときに、始めにデフォーカス値の基準値に基づいたジッタ値を検出させる。デフォーカス値の基準値に基づいたジッタ値が予め定められた所定のジッタ値よりも大きい値とされた光ディスクは、各デフォーカス値に対応した各ジッタ値を調査する必要がある光ディスクとされる。検出されたデフォーカス値の基準値に基づくジッタ値が、予め定められた所定のジッタ値よりも大きい値とされたときに、デフォーカス値の基準値を含む所定範囲の数値内にてデフォーカス値を段階的に変更させる毎にジッタ値を検出させ、検出された各ジッタ値における最大ジッタ値と最小ジッタ値との差の値に基づいて、光ディスクに対応する最適なデフォーカス値を設定させる。
【００３１】
請求項７に係る光ディスク装置のデフォーカス値設定方法は、請求項２〜６の何れか１項に記載の光ディスク装置のデフォーカス値設定方法において、前記光ディスクに対し前記対物レンズの前記フォーカス調整を行わせるときに、始めに前記デフォーカス値の前記基準値に基づいて前記ジッタ値を検出させ、検出された該ジッタ値が予め定められた所定のジッタ値以下の小さい値とされたときに、該デフォーカス値の該基準値を含む前記所定範囲の数値内にて該デフォーカス値を段階的に変更させる毎に該ジッタ値を検出させることなく、該デフォーカス値の該基準値を前記最適なデフォーカス値として設定させることを特徴とする。
【００３２】
上記構成により、ジッタ特性の良い光ディスクが使用される場合に、デフォーカス値の設定は速やかに行われると共に、光ディスク装置を構成する光学式ピックアップ装置は、光ディスクに対し、安定したフォーカスサーボ動作を行うこととなる。光ディスクに対し対物レンズのフォーカス調整を行わせるときに、始めにデフォーカス値の基準値に基づいたジッタ値を検出させる。デフォーカス値の基準値に基づいたジッタ値が予め定められた所定のジッタ値以下の小さい値とされた光ディスクは、ジッタ特性の良い光ディスクとされる。ジッタ特性の良い光ディスクから信号が読み出されるときには、デフォーカス値の基準値を含む所定範囲の数値内にてデフォーカス値を段階的に変更させる毎にジッタ値を検出させることなく、デフォーカス値の基準値を最適なデフォーカス値として設定させるので、デフォーカス値の設定時間が短縮される。また、ジッタ特性の良い光ディスクから信号が読み出されるときには、デフォーカス値の基準値を最適なデフォーカス値として光
ディスク装置に設定させるので、光学式ピックアップ装置のフォーカスサーボ動作に不具合が生じることなく、安定したフォーカスサーボ動作が光学式ピックアップ装置にて実行される。
【００３３】
請求項８に係る光ディスク装置のデフォーカス値設定方法は、請求項２〜７の何れか１項に記載の光ディスク装置のデフォーカス値設定方法において、前記最適なデフォーカス値が前記基準値以外の前記数値に設定された場合において、前記光ディスクに対し、前記光学式ピックアップ装置に前記トラックジャンプを行わせるときに、前記デフォーカス値を該基準値に設定させることを特徴とする。
【００３４】
上記構成により、デフォーカス値の基準値以外の数値が最適なデフォーカス値として設定されていても、光ディスクに対する光学式ピックアップ装置のトラックジャンプは、良好に行われる。光ディスクに対する光学式ピックアップ装置のデフォーカス調整が行われて、デフォーカス値が基準値以外の数値に設定された場合には、光ディスクに対する光学式ピックアップ装置のトラックジャンプが行われるときに、トラック捕捉ができないことがあった。しかしながら、デフォーカス値が基準値以外の数値に設定された場合であっても、光学式ピックアップ装置にトラックジャンプを行わせるときに、デフォーカス値を基準値に設定させることにより、光ディスクに対する光学式ピックアップ装置のトラックジャンプは、正常に行われ易くなる。
【００３５】
請求項９に係る光ディスク装置のデフォーカス値設定方法は、請求項８に記載の光ディスク装置のデフォーカス値設定方法において、前記光ディスクに対する前記光学式ピックアップ装置の前記トラックジャンプが終了したのちに、前記デフォーカス値を前記基準値以外の前記数値に戻すことを特徴とする。
【００３６】
上記構成により、光ディスク装置に最適なデフォーカス値が再び設定される。光ディスクに対し光学式ピックアップ装置のトラックジャンプが行われていないときには、デフォーカス値の基準値以外の数値を再び最適なデフォーカス値として光ディスク装置に設定させるので、光ディスクに対する対物レンズのフォーカス調整は、良好に行われる。
【００３７】
請求項１０に係る光ディスク装置は、請求項１に記載の光ディスク装置において、請求項２〜９の何れか１項に記載の光ディスク装置のデフォーカス値設定方法が実行可能とされたことを特徴とする。
【００３８】
上記構成により、最適なデフォーカス値が設定可能とされると共に、光ディスクに対するトラックジャンプが良好に行われ易い光学式ピックアップ装置を有する光ディスク装置の提供が可能となる。
【発明の効果】
【００３９】
以上の如く、請求項１に記載の発明によれば、最適なデフォーカス値が設定可能な光ディスク装置を構成させることができる。光学式ピックアップ装置によって、光ディスクから読み出された信号に基づいて検出されたジッタ値と、検出されたジッタ値に基づくデフォーカス値とにより、最適なデフォーカス値を光ディスク装置に設定させることができる。また、光ディスクに対して光学式ピックアップ装置のトラックジャンプが行われるときに、デフォーカス値の変更が可能な光ディスク装置を構成させたことにより、光ディスクに対し光学式ピックアップ装置のトラックジャンプが行われるときに、トラック捕捉ができないことがあるという不具合の発生を回避させ易くすることが可能となり、光ディスクに対する光学式ピックアップ装置のトラックジャンプを、良好に行わせ易くさせることが可能となる。
【００４０】
請求項２に記載の発明によれば、光ディスク装置に最適なデフォーカス値を設定させることができる。必要に応じて、デフォーカス値の基準値を含む所定範囲の数値内にてデフォーカス値を段階的に変更させる毎にジッタ値を検出させ、検出された各ジッタ値における最大ジッタ値と最小ジッタ値との差の値に基づいて、最適なデフォーカス値を設定させるので、光ディスク装置に最適なデフォーカス値を設定させることができる。また、光ディスクに対して光学式ピックアップ装置にトラックジャンプを行わせるときに、必要に応じてデフォーカス値を変更させるので、光ディスクに対して光学式ピックアップ装置にトラックジャンプを行わせる時に、トラック捕捉ができないことがあるという不具合の発生を回避させ易くすることが可能となり、光ディスクに対する光学式ピックアップ装置のトラックジャンプを、良好に行わせ易くさせることが可能となる。
【００４１】
請求項３に記載の発明によれば、光ディスク装置に最適なデフォーカス値を設定させることができる。必要に応じて、デフォーカス値の基準値を含む所定範囲の数値内にてデフォーカス値を段階的に変更させる毎にジッタ値を検出させ、検出された各ジッタ値における最大ジッタ値と最小ジッタ値との差の値に基づいて、最適なデフォーカス値を設定させるので、光ディスク装置に最適なデフォーカス値を設定させることができる。光ディスク装置に最適なデフォーカス値が設定されるので、光ディスクに対し、光学式ピックアップ装置は、安定したフォーカスサーボ動作を行う。また、光ディスクに対して光学式ピックアップ装置にトラックジャンプを行わせるときに、必要に応じてデフォーカス値を変更させるので、光ディスクに対して光学式ピックアップ装置にトラックジャンプを行わせる時に、トラック捕捉ができないことがあるという不具合の発生を回避させ易くすることが可能となり、光ディスクに対する光学式ピックアップ装置のトラックジャンプを、良好に行わせ易くさせることが可能となる。
【００４２】
請求項４に記載の発明によれば、光ディスク装置を構成する光学式ピックアップ装置は、光ディスクに対し、安定したフォーカスサーボ動作を行う。最大ジッタ値と最小ジッタ値との差の値が予め定められた所定値よりも大きい値とされた光ディスクは、ジッタ特性の悪い光ディスクとされる。ジッタ特性の悪い光ディスクから信号が読み出されるときには、最小ジッタ値に対応したデフォーカス値を最適なデフォーカス値として設定させるので、安定したフォーカスサーボ動作を光学式ピックアップ装置に実行させることができる。
【００４３】
請求項５に記載の発明によれば、光ディスク装置を構成する光学式ピックアップ装置は、光ディスクに対し、安定したフォーカスサーボ動作を行う。最大ジッタ値と最小ジッタ値との差の値が予め定められた所定値以下の小さい値とされた光ディスクは、ジッタ特性が良い光ディスクとされる。ジッタ特性が良い光ディスクから信号が読み出されるときには、デフォーカス値の基準値を最適なデフォーカス値として光ディスク装置に設定させるので、光学式ピックアップ装置のフォーカスサーボ動作に不具合を発生させることなく、安定したフォーカスサーボ動作を光学式ピックアップ装置に実行させることができる。
【００４４】
請求項６に記載の発明によれば、光ディスクに対応する最適なデフォーカス値を光ディスク装置に設定させることができる。光ディスクに対し対物レンズのフォーカス調整を行わせるときに、始めにデフォーカス値の基準値に基づいたジッタ値を検出させる。デフォーカス値の基準値に基づいたジッタ値が予め定められた所定のジッタ値よりも大きい値とされた光ディスクは、各デフォーカス値に対応した各ジッタ値を調査する必要がある光ディスクとされる。検出されたデフォーカス値の基準値に基づくジッタ値が、予め定められた所定のジッタ値よりも大きい値とされたときに、デフォーカス値の基準値を含む所定範囲の数値内にてデフォーカス値を段階的に変更させる毎にジッタ値を検出させ、検出された各ジッタ値における最大ジッタ値と最小ジッタ値との差の値に基づいて、光ディスクに対応する最適なデフォーカス値を設定させる。
【００４５】
請求項７に記載の発明によれば、ジッタ特性の良い光ディスクが使用される場合に、デフォーカス値の設定を速やかに行うことができると共に、光ディスク装置を構成する光学式ピックアップ装置は、光ディスクに対し、安定したフォーカスサーボ動作を行う。光ディスクに対し対物レンズのフォーカス調整を行わせるときに、始めにデフォーカス値の基準値に基づいたジッタ値を検出させる。デフォーカス値の基準値に基づいたジッタ値が予め定められた所定のジッタ値以下の小さい値とされた光ディスクは、ジッタ特性の良い光ディスクとされる。ジッタ特性の良い光ディスクから信号が読み出されるときには、デフォーカス値の基準値を含む所定範囲の数値内にてデフォーカス値を段階的に変更させる毎にジッタ値を検出させることなく、デフォーカス値の基準値を最適なデフォーカス値として設定させるので、デフォーカス値の設定時間を短縮させることができる。また、ジッタ特性の良い光ディスクから信号が読み出されるときには、デフォーカス値の基準値を最適なデフォーカス値として光ディスク装置に設定させるので、光学式ピックアップ装置のフォーカスサーボ動作に不具合を発生させることなく、安定したフォーカスサーボ動作を光学式ピックアップ装置に実行させることができる。
【００４６】
請求項８に記載の発明によれば、デフォーカス値の基準値以外の数値が最適なデフォーカス値として設定されていても、光ディスクに対する光学式ピックアップ装置のトラックジャンプを良好に行わせることができる。光ディスクに対する光学式ピックアップ装置のデフォーカス調整が行われて、デフォーカス値が基準値以外の数値に設定された場合には、光ディスクに対する光学式ピックアップ装置のトラックジャンプが行われるときに、トラック捕捉ができないことがあった。しかしながら、デフォーカス値が基準値以外の数値に設定された場合であっても、光学式ピックアップ装置にトラックジャンプを行わせるときに、デフォーカス値を基準値に設定させることにより、光ディスクに対する光学式ピックアップ装置のトラックジャンプを正常に行わせ易くさせることができる。
【００４７】
請求項９に記載の発明によれば、光ディスク装置に最適なデフォーカス値を再び設定させることができる。光ディスクに対し光学式ピックアップ装置のトラックジャンプが行われていないときには、デフォーカス値の基準値以外の数値を再び最適なデフォーカス値として光ディスク装置に設定させるので、光ディスクに対する対物レンズのフォーカス調整を良好に行わせることができる。
【００４８】
請求項１０に記載の発明によれば、最適なデフォーカス値を設定可能とさせると共に、光ディスクに対するトラックジャンプが良好に行われ易い光学式ピックアップ装置を有する光ディスク装置を提供することができる。
【発明を実施するための最良の形態】
【００４９】
以下に本発明に係る光ディスク装置およびそのデフォーカス値設定方法の一実施形態を図面に基づいて詳細に説明する。
【００５０】
図１は、本発明に係る光ディスク装置の一実施形態を示す構成図、図２は、本発明に係る光ディスク装置のデフォーカス値設定方法の一実施形態を示すフローチャート、図３は、デフォーカス値とジッタ値との関係を示すグラフ、図４は、同じくデフォーカス値とジッタ値との関係を示すグラフ、図５は、同じくデフォーカス値とジッタ値との関係を示すグラフ、図６は、同じくデフォーカス値とジッタ値との関係を示すグラフ、図７は、同じくデフォーカス値とジッタ値との関係を示すグラフである。
【００５１】
図１に示す光ディスク装置１は、光ディスクＭから得られる信号のジッタ値を利用して、フォーカスサーボ動作を行うために適したデフォーカス値を設定可能なものとして構成されている。上述した如く、ジッタ（jitter）とは、例えば信号の微妙な揺れや歪を意味
する。また、フォーカス（focus）とは、例えば焦点やピントを意味する。また、サーボ（servo）とは、例えば制御の対象の状態を測定し、予め定められた基準値と比較して、自動的に修正制御する機構のもの等を意味する。また、この明細書におけるデフォーカス調整とは、例えば焦点が合わせられていないものに対し、焦点合せを行う調整作業を意味する。
【００５２】
光ディスク装置１に内装された光学式ピックアップ装置２が用いられて、光ディスクＭにおける情報などのデータの再生または記録が行われる。光ディスクＭとして、例えば、「ＣＤ」系列の光ディスクや、「ＤＶＤ」（登録商標）系列の光ディスクや、「ＨＤ  ＤＶＤ」（登録商標）系列の光ディスクや、「Blu-ray Disc」（登録商標）系列の光ディスクなどが挙げられる。「ＣＤ」は、「Compact Disc」（商標）の略称である。また、「ＤＶＤ」は「Digital Versatile Disc」（登録商標）の略称である。また、「ＨＤ  ＤＶＤ」は、「High Definition DVD」（登録商標）の略称である。
【００５３】
スピンドルモータ（図示せず）によって回転駆動されるターンテーブル（図示せず）上に、光ディスクＭが載置される。また、光ディスクＭにレーザ光Ｌとされる光ビームＬを照射させる発光素子３ａいわゆるレーザダイオードが、光学式ピックアップ装置２に装備されている。また、レーザダイオード３ａから出射された光ビームＬを絞り込んで光ディスクＭの信号面部Ｍｓに照射させる対物レンズ３ｂが、光学式ピックアップ装置２に装備されている。対物レンズ３ｂによってレーザ光Ｌが絞り込まれることにより、光ディスクＭの信号面部Ｍｓに集光スポットＬｓが照射形成される。
【００５４】
また、光ディスクＭの信号面部Ｍｓから反射された光ビームＬを受ける光検出器３ｃが、光学式ピックアップ装置２に装備されている。光検出器３ｃは、光ディスクＭの信号面部Ｍｓから反射されたレーザ光Ｌを受けて、その信号を電気信号に変え、光ディスクＭの信号面部Ｍｓに記録された情報を検出するためのものとされている。また、光検出器３ｃは、光ディスクＭの信号面部Ｍｓから反射されたレーザ光Ｌを受けて、その信号を電気信号に変え、光学式ピックアップ装置２を構成する対物レンズ３ｂ付レンズホルダ（図示せず）のサーボ機構（図示せず）を動作させるためのものとされている。
【００５５】
また、光学式ピックアップ装置２は、対物レンズ３ｂを光ディスクＭの面Ｍｆに対して直交する方向Ｄｆに略沿って変位させるフォーカシングコイル３ｄと、対物レンズ３ｂを光ディスクＭの径方向Ｄｔに略沿って変位させるトラッキングコイル（図示せず）とを備えて構成されている。この明細書におけるフォーカシング方向Ｄｆまたはトラッキング方向Ｄｔなどの方向Ｄｆ，Ｄｔに関する定義は、光ディスク装置１や光学式ピックアップ装置２を説明するための便宜上の定義とされる。
【００５６】
上述した如く、フォーカシングとは、焦点を合わせることや、焦点が合わせられることを意味する。また、トラッキングとは、光を用いて、光ディスクＭの信号面部Ｍｓに設けられた微小なピット（穴、凹み）や、グルーブ（溝）、ウォブル（蛇行）などを追跡観測し、略螺旋状に描かれた軌道の位置を定めることを意味する。ピット（pit）とは、穴やへこみ状のものを意味する。また、グルーブ（groove）とは、細長いへこみ状のものを意味する。また、ウォブル（wobble）とは、情報などのデータ信号が記録されるトラックの蛇行を意味する。
【００５７】
光ピックアップ（optical pickup）は、一般に「ＯＰＵ」と略称される。また、「optical pickup unit」が「ＯＰＵ」と略称されて用いられることもある。ここでは、便宜上、光学式ピックアップ装置をＯＰＵと略称して用いる。また、レーザダイオード（laser diode）は、ＬＤと略称される。また、対物レンズ（objective lens）は、「ＯＢＬ」と略称される。また、光検出器（photo detector／photo diode IC）は、「ＰＤ」または「
ＰＤＩＣ」と略称される。
【００５８】
ＯＰＵ２は、前記ＬＤ３ａと、前記ＯＢＬ３ｂと、前記レンズホルダと、前記ＰＤＩＣ３ｃと、前記フォーカシングコイル３ｄと、前記トラッキングコイルとを備えて構成されている。また、ＯＰＵ２は、ピックアップ装置本体を駆動可能な送り用モータ（図示せず）により、光ディスクＭの径方向Ｄｔに略沿って移動させられる。ＯＰＵ２の設計／仕様などにより、光ディスク装置１を構成するＯＰＵ２は、前記送り用モータをさらに備えて構成される。
【００５９】
この光ディスク装置１は、ＯＰＵ２に装備されたＰＤＩＣ３ｃにおいて検出された信号が入力され、ＰＤＩＣ３ｃにおいて検出された信号を高い周波数の信号とされる例えばＲＦ信号として出力させる光出力信号処理回路４を備える。ＲＦ信号とは、例えば電波と略同じ高い周波数に変換された信号を意味する。また、「ＲＦ」は、「radio frequency」の略称である。
【００６０】
ＯＰＵ２に装備されたＰＤＩＣ３ｃによって光信号から電気信号に変換された信号は、光出力信号処理回路４いわゆるフロントエンド処理部４に入力される。フロントエンド処理部４は、光ディスクＭに記録された信号の再生信号とされるＲＦ信号などの高い周波数の信号と、フォーカスエラー信号と、トラッキングエラー信号とを生成して出力するものとして構成されている。
【００６１】
フォーカスエラー（focus error）とは、光ディスクＭのピットまたはグルーブ（何れも図示せず）に対し、光軸方向Ｄｆなどの信号層Ｍｓに略直交する方向Ｄｆに沿って、ＯＢＬ３ｂにより絞られた光Ｌの焦点Ｌｓが位置ずれを起こすことを意味する。また、トラッキングエラー（tracking error）とは、光ディスクＭのピットまたはグルーブに対し、径方向Ｄｔなどの信号層Ｍｓに略沿った方向Ｄｔに、ＯＢＬ３ｂにより絞られた光Ｌの焦点Ｌｓが位置ずれを起こすことを意味する。
【００６２】
また、この光ディスク装置１は、ＰＤＩＣ３ｃにおいて検出された信号に基づいてフロントエンド処理部４で生成されたフォーカスエラー信号が入力されると共に、光ディスクＭの表面Ｍｆに対して直交する方向とされるＯＢＬ３ｂの光軸方向Ｄｆに略沿って、ＯＰＵ２に装備されたＯＢＬ３ｂを変位させる制御信号を生成するフォーカスサーボ回路５を備える。フロントエンド処理部４にて生成されたのちに、フロントエンド処理部４から出力されたフォーカスエラー信号は、フォーカスサーボ回路５に入力される。
【００６３】
フォーカスサーボ回路５は、デジタル信号に対応可能なデジタルイコライザとして構成されている。デジタル（digital）とは、物質やシステムなどの状態を離散的な数字や文字などの信号により表現することを意味する。また、イコライザ（equalizer）とは、音声信号などの信号の全体的な周波数特性を加工したり調整したりするための電気回路とされる。イコライザは、「ＥＱ」と略称される。
【００６４】
また、この光ディスク装置１は、フォーカスサーボ回路５から出力されたフォーカス制御信号が入力され、ＯＰＵ２に装備されたフォーカシングコイル３ｄに駆動信号を供給するフォーカシングコイル駆動回路６を備える。フォーカスサーボ回路５は、入力されたフォーカスエラー信号に基づいて、フォーカスエラー信号のレベルを小さくするためのフォーカス制御信号をフォーカシングコイル駆動回路６に出力する。フォーカスサーボ回路５から出力されたフォーカス制御信号は、フォーカシングコイル駆動回路６に入力される。フォーカシングコイル駆動回路６は、フォーカシングコイル３ｄにフォーカシングコイル駆動信号を供給させるものとして構成されている。また、駆動回路は、ドライバ等と呼ばれている。
【００６５】
また、この光ディスク装置１は、光検出器３ｃで検出され光出力信号処理回路４にて高い周波数の信号に変換された信号を増幅させると共に、高い周波数のアナログ信号をデジタル信号に変換させる信号処理回路７を備える。詳しく説明すると、この光ディスク装置１は、ＰＤＩＣ３ｃで検出されフロントエンド処理部４にてＲＦ信号に変換された信号を増幅させると共に、アナログ信号とされるＲＦ信号をデジタル信号に変換させるＲＦ信号増幅／処理回路７を備える。アナログ（analog）とは、物質やシステムなどの状態を連続的に変化する物理量などによって表現することを意味する。
【００６６】
フロントエンド処理部４にて生成された再生信号とされるＲＦ信号などの高い周波数の信号は、ＲＦ信号増幅／処理回路７などの信号処理回路７に入力される。ＲＦ信号増幅／処理回路７などの信号処理回路７にてＲＦ信号などの高い周波数の信号が増幅される。また、ＲＦ信号増幅／処理回路７などの信号処理回路７は、入力されたアナログ信号を２値化された信号いわゆるデジタル信号として出力するものとして構成されている。ＲＦ信号増幅／処理回路７などの信号処理回路７から出力された信号に基づいて、ジッタ値の検出が良好に行われる。
【００６７】
また、この光ディスク装置１は、ＲＦ信号増幅／処理回路７などの信号処理回路７から出力されたデジタル信号の復調を行うデジタル信号処理回路８を備える。ＲＦ信号増幅／処理回路７などの信号処理回路７から出力されたデジタル信号は、デジタル信号処理回路８に入力される。デジタル信号処理回路８は、各種信号の復調動作を行うものとして構成されている。
【００６８】
また、この光ディスク装置１は、ＯＢＬ３ｂを有するＯＰＵ２のＰＤＩＣ３ｃにより光ディスクＭから読み出された信号に基づいて、信号の揺らぎ値とされるジッタ値を検出するジッタ値検出回路９を備える。具体的に説明すると、この光ディスク装置１は、ＲＦ信号増幅／処理回路７などの信号処理回路７を通りデジタル信号処理回路８から得られた信号に基づいて、信号の揺らぎ値とされるジッタ値を検出するジッタ値検出回路９いわゆるジッタ計測回路９を備える。
【００６９】
デジタル信号処理回路８にて生成された信号は、ジッタ計測回路９に入力される。例えば光ディスクＭがＣＤ規格の光ディスクの場合には、ジッタ計測回路９にて、３Ｔから１１Ｔまでの長さの信号が検出され、基準クロック信号に基づいて、再生信号の周波数の時間ばらつき即ちジッタ値が検出される。ジッタ計測回路９にて検出されたジッタ値が小さいほど、時間ばらつきが少なく、再生特性が良いものとされる。
【００７０】
ＲＦ信号などの高い周波数の信号から同期系のものが検出されてゆくときに、基準クロックにて、周波数Ｆの時間ばらつきが検出される。この時間ばらつきが小さい数値とされているほど、時間ばらつきが少なく、性能が良いものとされている。基準クロックは、例えば基準ＣＬＫと略称されて用いられる。同期系の信号長さについて説明すると、例えば、ＣＤ系列のものでは、３Ｔ〜１１Ｔ、ＤＶＤ系列のものでは、３Ｔ〜１４Ｔとされている。
【００７１】
また、この光ディスク装置１は、ジッタ計測回路９から出力された信号が入力され、光ディスク装置１全体の制御を行うシステム制御回路１０を備える。光ディスク装置１やＯＰＵ２の各種の制御／動作は、システム制御回路１０にて行われる。システム制御回路１０は、マイクロコンピュータにて構成されている。マイクロコンピュータ（micro computer）とは、超小型コンピュータを意味するものとされている。
【００７２】
システム制御用マイクロコンピュータは、ＣＰＵ、システムコントローラ、マイクロプ
ロセッサ、マイクロコンピュータなどとされ、光ディスク装置１全般のシステム制御を司る制御部とされる。「ＣＰＵ」は、「Central Processing Unit」の略称とされ、中央演算装置を意味する。ＣＰＵ１０が備える各機能は、ソフトウェアいわゆるプログラムにより実現される。
【００７３】
また、この光ディスク装置１は、ＣＰＵ１０に各種制御を行わせるプログラムが記憶された第一メモリ回路１１を備える。ソフトウェアにより実施される各機能は、ＣＰＵ１０がアクセス可能な第一メモリ回路１１に格納されている。システム制御回路１０は、フラッシュＲＯＭなどの第一メモリ回路１１に記憶されたプログラムに基づいて、各種の制御／動作を行わせるものとして構成されている。「ＲＯＭ」は、「read-only memory」の略称である。第一メモリ回路１１として、例えばフラッシュメモリ（flash memory）が用いられた。
【００７４】
第一メモリ回路１１について詳しく説明すると、第一メモリ回路１１として、例えばＥＥＰＲＯＭなどのＲＯＭが挙げられる。ＲＯＭとは、読出し専用メモリを意味する。ＥＥＰＲＯＭとは、電気的に内容を書き換えることが可能なＲＯＭを意味する。ＥＥＰＲＯＭは、いわゆる不揮発性メモリである。ＥＥＰＲＯＭの変更が行われるときには、通常の電圧よりも高い電圧により行われる。また、ＥＥＰＲＯＭは、記憶された情報を電気的に消去可能なものとされている。「ＥＥＰＲＯＭ」は、「Electronically Erasable and Programmable Read Only Memory」の略称である。
【００７５】
また、第一メモリ回路１１として、例えばＥＰＲＯＭなどのＲＯＭが挙げられる。ＥＰＲＯＭとは、記憶の消去・書込みを何度でも行うことが可能とされるＲＯＭを意味する。ＥＰＲＯＭは、記憶が消去されるときに、読出し時と異なる特殊な方法で行われるものとされている。「ＥＰＲＯＭ」は、「Erasable Programmable Read Only Memory」の略称である。
【００７６】
また、この光ディスク装置１は、ＣＰＵ１０に入力された各種値を記憶・消去可能な第二メモリ回路１２を備える。第二メモリ回路１２として、例えばＲＡＭが用いられた。ＲＡＭとは、記憶場所や順序に関係することなく略同一時間でデータにアクセスできる記憶装置を意味する。「ＲＡＭ」は、「random access memory」の略称である。システム制御回路１０により、ＲＡＭなどの第二メモリ回路１２の動作が制御される。第二メモリ回路１２は、デフォーカス値と、そのデフォーカス値に対応したジッタ値とを記憶可能なものとして構成されている。
【００７７】
また、この光ディスク装置１は、ジッタ計測回路９とＣＰＵ１０とを経由した信号に基づいて、光ディスクＭの信号面部Ｍｓに対するＯＰＵ２のＯＢＬ３ｂの焦点合せを行わせるときに、ＯＢＬ３ｂをＯＢＬ３ｂの光軸方向Ｄｆに沿って動かすために用いるデフォーカス値を調整させると共に、設定調整されたデフォーカス値に基づいて、フォーカスサーボ回路５に対しデフォーカス調整を行わせるデフォーカス値設定回路１３を備える。
【００７８】
フォーカスサーボ回路５に対するデフォーカス値は、デフォーカス値設定回路１３によって設定される。デフォーカス値設定回路１３は、システム制御回路１０によって制御されるものとして構成されている。光ディスク装置１内に光ディスク（Ｍ）が装備されたのちに、光ディスク（Ｍ）に適したデフォーカス値を設定するための動作が光ディスク装置１にて行われる場合には、例えば基準値とされるデフォーカス値０に対し、フォーカスサーボ回路５に対して設定されるデフォーカス値を例えば−８％から＋８％まで２％刻みに段階をおって変更させる。
【００７９】
この明細書において、ジッタ特性が良好な光ディスクＭと、ジッタ特性が良好でないと
推定／判定され各ジッタ値の検出／調査が必要とされる光ディスク（Ｍ）とは、例えば、符号Ｍにおける括弧（  ）の有無により区別して示した。
【００８０】
図１に示す光ディスク装置１は、上記ＰＤＩＣ３ｃや上記フォーカシングコイル３ｄなどを有する上記ＯＰＵ２と、上記光出力信号処理回路４と、上記フォーカスサーボ回路５と、上記フォーカシングコイル駆動回路６と、上記信号処理回路７と、上記デジタル信号処理回路８と、上記ジッタ値検出回路９と、上記システム制御回路１０と、上記第一メモリ回路１１と、上記第二メモリ回路１２と、上記デフォーカス値設定回路１３とを備えて構成されている。
【００８１】
また、この光ディスク装置１は、例えば上記デジタル信号処理回路８を含むデジタル信号処理装置いわゆるデジタル・シグナル・プロセッサを備えて構成される。デジタル・シグナル・プロセッサとは、例えば主にデジタル信号処理に特化されたマイクロプロセッサを意味する。デジタル・シグナル・プロセッサ（digital signal processor）は、「ＤＳＰ」と略称されている。ＤＳＰを構成するデジタル信号処理回路８を含んだチップが装備されている。デジタル信号処理回路８を含むＤＳＰが用いられることにより、例えばＣＰＵ１０等における高速演算処理が実行可能となる。ＤＳＰが用いられることにより、信号処理が行われるときに、例えばＳＮ（signal／noise）比が略９０ｄＢ（デシベル）以上とされ、ノイズの影響が回避され易くなり、また、周辺の雰囲気温度などによる影響も抑制され易くなる。このようなことから、ＤＳＰが用いられることにより精度の高い演算処理等が高速で行われる。
【００８２】
図１に示す光ディスク装置１が構成されることにより、最適なデフォーカス値を設定可能な光ディスク装置１が構成される。光ディスクＭから読み出された信号に基づいて検出されたジッタ値と、検出されたジッタ値に基づくデフォーカス値とにより、最適なデフォーカス値が光ディスク装置１に設定される。
【００８３】
また、この光ディスク装置１は、光ディスクＭの信号面部Ｍｓに対してＯＰＵ２のトラックジャンプが行われるときに、ＣＰＵ１０および／またはデフォーカス値設定回路１３により、フォーカスサーボ回路５に対するデフォーカス値が自在に変更可能なものとして構成されている。
【００８４】
光ディスクＭの信号面部Ｍｓに対してＯＰＵ２のトラックジャンプが行われるときに、デフォーカス値が自在に変更可能な光ディスク装置１が構成されていれば、光ディスクＭの信号面部Ｍｓに対してＯＰＵ２のトラックジャンプが行われるときに、光ディスクＭの信号面部Ｍｓに対し、光ビームＬのスポットＬｓのトラック捕捉ができないことがあるという不具合の発生は回避され易くなる。光ディスクＭの信号面部Ｍｓに対してＯＰＵ２にトラックジャンプを行わせるときに、光ディスクＭの特性に対応してデフォーカス値を変更させることにより、光ディスク装置１におけるサーボ破綻の発生を回避させる。光ディスクＭに対するＯＰＵ２のトラックジャンプが行われるときに、フォーカスサーボ回路５に対して適切なデフォーカス値を設定させることにより、光ディスクＭの信号面部Ｍｓに対するＯＰＵ２のトラックジャンプは、良好に行われ易くなる。
【００８５】
次に、光ディスク装置１のデフォーカス値設定方法について説明する。図２に示すフローチャートと併せて、光ディスク装置１のデフォーカス値設定方法について、各図に基づき説明する。
【００８６】
ジッタ値に基づいた光ディスク装置１のデフォーカス調整方法は、次の通り行われる。光ディスクＭ（図１）の再生／記録時にて、データ読込み等のサーボ調整が終了されている。この場合、例えば、既にフォーカスのオフセット調整が行われているときであっても
よい。また、未だフォーカスのオフセット調整が行われていないときであってもよい。
【００８７】
上記光ディスク装置１を用いて、光ディスクＭの信号面部Ｍｓに対するＯＢＬ３ｂのフォーカス調整を行わせる。上記光ディスク装置１を用いて、光ディスク装置１におけるデフォーカス値設定方法を行わせる。
【００８８】
例えば光ディスク装置１に電源が入れられたときに、光ディスク装置１のデフォーカス値設定方法を実行させるための準備が開始される。光ディスク装置１の電源が入れられて光ディスク装置１が電源ＯＮの状態とされたときに、例えばＲＯＭ１１等のメモリ回路１１から各種情報等のデータがシステム制御回路１０に送られる。このときに、例えば、所定のジッタ値ｊｉｔｔｅｒ（ｉｆ）、判定値ｊｉｔｔｅｒ（ｉｓ）などの各種データがシステム制御回路１０に送られてシステム制御回路１０に設定される（図２：Ｓ１）。
【００８９】
この光ディスク装置１（図１）のデフォーカス値設定方法は、ＯＢＬ３ｂを有するＯＰＵ２を備えた光ディスク装置１を用いて、光ディスクＭから読み出された信号のジッタ値を検出させると共に、検出されたジッタ値に基づいて、光ディスクＭの信号面部Ｍｓに対するＯＢＬ３ｂの焦点合せを行わせるときに、ＯＢＬ３ｂをＯＢＬ３ｂの光軸方向Ｄｆに沿って動かすために用いるデフォーカス値を調整させて、光ディスクＭに対するＯＢＬ３ｂのフォーカス調整を行わせる光ディスク装置１のデフォーカス値設定方法とされている。次の通りのデフォーカス値設定工程が行われる。
【００９０】
光ディスク装置１に光ディスクＭが装備されることで、光ディスク装置１に適切なデフォーカス値を設定させるための動作が実質的に開始される。先ず、上記光ディスク装置１を用い、フォーカスコイル（FOCUS COIL）３ｄにフォーカスバイアスいわゆるデフォーカスを加え、ジッタを測定する。光ディスク装置１にデフォーカス値の設定方法を行わせるときに、先ず始めにデフォーカス値±０でジッタの検出／測定を行う（図２：Ｓ２）。このときに、例えば図６または図７の如く、デフォーカス値±０におけるジッタ値ｊｉｔｔｅｒ（ｉｏ）が規定値ｊｉｔｔｅｒ（ｉｆ）以下の小さい値とされて、ジッタ特性が良好な光ディスクＭ（図１）であるとＣＰＵ１０内のプログラム（図２）にて判定された場合（Ｓ３：ＮＯ）、デフォーカス値に０が設定され（図２：Ｓ８）デフォーカス調整が終了する。
【００９１】
この光ディスク装置１（図１）は、ジッタ特性が良好な光ディスクＭと、ジッタ特性が良好でないと推定／判定され各ジッタ値の検出／調査が必要とされる光ディスク（Ｍ）とによって、異なるデフォーカス値の設定方法を行う。
【００９２】
光ディスク装置１を用いて、光ディスク装置１におけるデフォーカス値設定方法を行うときに、必要に応じて、例えば図３、図４および図５の如く、各ジッタ値の検出／測定を行う。詳しく説明すると、デフォーカス値±０におけるジッタ値ｊｉｔｔｅｒ（ｉｏ）が規定値ｊｉｔｔｅｒ（ｉｆ）よりも大きい値とされ、ＣＰＵ１０（図１）内のプログラムにてジッタ特性が良好でないと推定／判定され、各ジッタ値の検出／調査が必要と判定された光ディスク（Ｍ）に対しては、次の測定を行う。先ず、光ディスク（Ｍ）から信号を読み出させてジッタ値を検出させるときに、所定範囲内のデフォーカス値を変更させる。詳しく説明すると、光ディスク（Ｍ）から信号を読み出させてジッタ値を検出させるときに、デフォーカス値の基準値０（図３，図４，図５）を含みデフォーカス値の基準値０を中心とした所定範囲の数値内にて、デフォーカス値を段階的に変更させる（図２：Ｓ４）。段階をおってデフォーカス値を変更させる毎に、ジッタ値を検出させる。
【００９３】
デフォーカス値を設定させる動作は、光ディスク（Ｍ）（図１）に記録されている信号の再生動作を行う状態において、デフォーカス値設定回路１３にて行われる。デフォーカ
ス値設定回路１３において、基準値０（図３，図４，図５）に対し、フォーカスサーボ回路５に対し設定されるデフォーカス値の値を−８％から＋８％まで２％ずつ段階的に変更させる。また、これと共に、各デフォーカス値に対応して再生信号のジッタ値をジッタ計測回路９によって検出させることにより、デフォーカス値の設定が行われる。
【００９４】
詳しく説明すると、デフォーカス値設定回路１３により、フォーカスサーボ回路５に対するデフォーカス値を基準値０に対して−８％ほど低い値に設定した状態で、光ディスク（Ｍ）に記録されている信号の再生動作を行い、再生信号に含まれるジッタ値をジッタ計測回路９によって検出させる。このようにして検出されたジッタ値をデフォーカス値と共にＲＡＭ１２等のメモリ回路１２に記憶させる。
【００９５】
基準値０に対し、デフォーカス値を−８％から＋８％まで２％ずつ段階的に変更させると共に、各デフォーカス値に対応したジッタ値を検出し、デフォーカス値と共にジッタ値をメモリ回路１２に記憶させる動作が繰り返して行われる。
【００９６】
光ディスク装置１にてデフォーカス値設定のための動作が開始され、光ディスク装置１のデフォーカス調整方法の工程中に各ジッタ値の検出／調査が必要と判定された光ディスク（Ｍ）に対しては、先ず、デフォーカス値を所定範囲内にて変更させる毎に、ジッタ値を検出する動作を行う（図２：Ｓ４）。所定範囲とは、例えばデフォーカス値０を基準値と定めたときに、基準値に対し、フォーカスサーボ回路５に対して設定される−１０％から＋１０％までの間のデフォーカス値とされる（図３，図４，図５）。好ましいデフォーカス値の所定範囲は、例えばデフォーカス値０を基準値と定めたときに、基準値に対し、フォーカスサーボ回路５に対して設定される−８％から＋８％までの間の範囲とされる。
【００９７】
例えば、デフォーカス値が−１０％よりも小さく設定された場合、正常なフォーカスサーボ機能が働かないこともある。また、例えば、デフォーカス値が＋１０％よりも大きく設定された場合、正常なフォーカスサーボ機能が働かないこともある。このようなことから、デフォーカス値の基準値０を中心として、−１０％から＋１０％までの間のデフォーカス値が、フォーカスサーボ回路５に対して設定されるとよい。好ましくは、デフォーカス値の基準値０を中心として、−８％から＋８％までの間のデフォーカス値が、フォーカスサーボ回路５に対して設定されることで、正常なフォーカスサーボ機能が働く。
【００９８】
例えばデフォーカス値の基準値０（図３，図４，図５）におけるジッタ値ｊｉｔｔｅｒ（ｉｏ）が規定値ｊｉｔｔｅｒ（ｉｆ）よりも大きい値とされ、ジッタ値が良好でないと推定／判定されて各ジッタ値の検出／調査が必要とされる光ディスク（Ｍ）（図１）に対しては、ＣＰＵ１０内のプログラムの制御に基づき、次の工程を行う。ＣＰＵ１０および第二メモリ回路１２により、次の工程を行う。
【００９９】
先ず、ＣＰＵ１０内のプログラムにて初期値を設定しｉ＝−４を設定する。また、例えば、「ＤＥＦＯＣＵＳ＝２％×ｉ」の値を「ＦＯＣＵＳ＿ＢＩＡＳ」にセット（SET）させる。ＯＰＵ２にジッタ値を測定させ、その結果を第二メモリ回路１２に「ｊｉｔｔｅｒ（ｉ）」として記憶させる。
【０１００】
ＣＰＵ１０内のプログラムにて「ｉ」をインクリメントさせる。インクリメント（increment）とは、プログラミングで、繰返し処理などが行われる際に、数値を定められた大きさで増加させることを意味する。また、「ＤＥＦＯＣＵＳ＝２％×ｉ」の値を「ＦＯＣＵＳ＿ＢＩＡＳ」にセットさせる。
【０１０１】
「ｉ＜５」とされた場合、再び、ＯＰＵ２にジッタを測定させ、その結果を第二メモリ回路１２に「ｊｉｔｔｅｒ（ｉ）」として記憶させる。「ｉ≧５」とされた場合、「ｊｉ
ｔｔｅｒ（ｉ）」から最小値を求め、そのときの「ｉ」を「ｉｍｉｎ」とする。また、「ｉ≧５」とされた場合、「ｊｉｔｔｅｒ（ｉ）」から最大値を求め、そのときの「ｉ」を「ｉｍａｘ」とする。
【０１０２】
次に、検出された各ジッタ値における最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）に基づいて、最適なデフォーカス値を設定させる。
【０１０３】
所定範囲内にてデフォーカス値を変更させることにより、各ジッタ値の検出動作が行われると、検出された各ジッタ値の中から最大ジッタ値ｊｉｔｔｅｒ（ｉｍａｘ）及び最小ジッタ値ｊｉｔｔｅｒ（ｉｍｉｎ）を選定する（図２：Ｓ５）。
【０１０４】
Ｓ５のステップの選択設定動作が行われると、〔ｊｉｔｔｅｒ（ｉｍａｘ）−ｊｉｔｔｅｒ（ｉｍｉｎ）＞ｊｉｔｔｅｒ（ｉｓ）〕とされるか（Ｓ６：ＹＥＳ）、又は、〔ｊｉｔｔｅｒ（ｉｍａｘ）−ｊｉｔｔｅｒ（ｉｍｉｎ）＞ｊｉｔｔｅｒ（ｉｓ）〕とされず否とされるか（Ｓ６：ＮＯ）の判定動作が行われる。Ｓ６のステップにおいて、〔ｊｉｔｔｅｒ（ｉｍａｘ）−ｊｉｔｔｅｒ（ｉｍｉｎ）＞ｊｉｔｔｅｒ（ｉｓ）〕であると判定されると（Ｓ６：ＹＥＳ）、最小ジッタ値ｊｉｔｔｅｒ（ｉｍｉｎ）に対応したデフォーカス値を最適なデフォーカス値として設定する（Ｓ７）。または、Ｓ６のステップにおいて、〔ｊｉｔｔｅｒ（ｉｍａｘ）−ｊｉｔｔｅｒ（ｉｍｉｎ）＞ｊｉｔｔｅｒ（ｉｓ）〕でないと判定されると（Ｓ６：ＮＯ）、デフォーカス値の基準値０を最適なデフォーカス値として設定する（Ｓ８）。
【０１０５】
このように光ディスク装置１のデフォーカス値設定方法が行われることにより、光ディスク装置１に最適なデフォーカス値が設定される。必要に応じて、デフォーカス値の基準値０を含みデフォーカス値の基準値０を中心とした所定範囲の数値内にて、デフォーカス値を段階的に変更させる毎にジッタ値を検出させ、検出された各ジッタ値における最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）に基づいて、最適なデフォーカス値を設定させるので、光ディスク装置１に最適なデフォーカス値が設定される。光ディスク装置１に最適なデフォーカス値が設定されるので、光ディスクＭに対し、ＯＰＵ２は、安定したフォーカスサーボ動作を行うこととなる。また、光ディスク装置１におけるデフォーカス値の設定動作を容易に行わせることができる。
【０１０６】
図３は、ＣＰＵ１０（図１）内にて、〔ｊｉｔｔｅｒ（ｉｍａｘ）−ｊｉｔｔｅｒ（ｉｍｉｎ）＞ｊｉｔｔｅｒ（ｉｓ）〕と判定された場合（図２、Ｓ６：ＹＥＳ）のジッタ値とデフォーカス値との関係を示す特性図である。
【０１０７】
図３の如く、最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）が、予め定められた所定値ｊｉｔｔｅｒ（ｉｓ）よりも大きい値とされたときに、最小ジッタ値ｊｉｔｔｅｒ（ｉｍｉｎ）に対応したデフォーカス値を最適なデフォーカス値として設定させる。
【０１０８】
最大ジッタ値ｊｉｔｔｅｒ（ｉｍａｘ）より例えば判定値ｊｉｔｔｅｒ（ｉｓ）だけ小さい値とされるジッタ値ｊｉｔｔｅｒ（ｉｆ）よりも、最小ジッタ値ｊｉｔｔｅｒ（ｉｍｉｎ）のほうが小さい。このような場合には、最小ジッタ値ｊｉｔｔｅｒ（ｉｍｉｎ）に対応したデフォーカス値、即ち、基準値０よりも＋６％大きいデフォーカス値を最適なデフォーカス値としてフォーカスサーボ回路５に設定させる動作が、光ディスク装置１にて行われる。
【０１０９】
ＣＰＵ１０（図１）内のプログラムにおいて、「ｊｉｔｔｅｒ（ｉｍａｘ）−ｊｉｔｔｅｒ（ｉｍｉｎ）」の値に基づいて次の設定を行う。「ｊｉｔｔｅｒ（ｉｍａｘ）−ｊｉｔｔｅｒ（ｉｍｉｎ）」の値が一定値ｊｉｔｔｅｒ（ｉｓ）を超える場合には、例えば、「ＤＥＦＯＣＵＳ」に「２％×ｉｍｉｎ」を設定させる。こうしてデフォーカス調整が終了する。
【０１１０】
このようにしてデフォーカス値の設定動作を行うと、基準デフォーカス値０より＋６％大きいデフォーカス値がフォーカスサーボ回路５に設定され、その設定されたデフォーカス値を中心として、フォーカスサーボ回路５によるフォーカスサーボ動作が行われる。
【０１１１】
このように光ディスク装置１のデフォーカス値設定方法が行われることにより、光ディスク装置１を構成するＯＰＵ２は、光ディスク（Ｍ）に対し、安定したフォーカスサーボ動作を行う。最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）が、予め定められた所定値ｊｉｔｔｅｒ（ｉｓ）よりも大きい値とされた光ディスク（Ｍ）は、ジッタ特性の悪い光ディスク（Ｍ）とされる。ジッタ特性の悪い光ディスク（Ｍ）から信号が読み出されるときには、最小ジッタ値ｊｉｔｔｅｒ（ｉｍｉｎ）に対応したデフォーカス値を最適なデフォーカス値として設定させるので、安定したフォーカスサーボ動作がＯＰＵ２にて実行される。
【０１１２】
図２に示すＳ６のステップにおいて、〔ｊｉｔｔｅｒ（ｉｍａｘ）−ｊｉｔｔｅｒ（ｉｍｉｎ）＞ｊｉｔｔｅｒ（ｉｓ）〕ではないと判定されると（Ｓ６：ＮＯ）、基準デフォーカス値０を最適なデフォーカス値として設定する（Ｓ８）。
【０１１３】
図４は、ＣＰＵ１０（図１）内にて、〔ｊｉｔｔｅｒ（ｉｍａｘ）−ｊｉｔｔｅｒ（ｉｍｉｎ）＞ｊｉｔｔｅｒ（ｉｓ）〕ではないと判定された場合（図２、Ｓ６：ＮＯ）のジッタ値とデフォーカス値との関係を示す特性図である。
【０１１４】
図４の如く、最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）が、予め定められた所定値ｊｉｔｔｅｒ（ｉｓ）以下の小さい値とされたときに、デフォーカス値の基準値０を最適なデフォーカス値として設定させる。各ジッタ値における最大値−最小値（MAX−MIN）が一定値以下の場合には、デフォーカス値を±０に設定させる。例えば図４に示す波形のジッタ値が検出されて、デフォーカス値の基準値０におけるジッタ値ｊｉｔｔｅｒ（ｉｏ）が所定のジッタ値ｊｉｔｔｅｒ（ｉｆ）よりも大きい値とされ、且つ、最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）が、予め定められた所定値ｊｉｔｔｅｒ（ｉｓ）以下の小さい値とされた場合に、デフォーカス値を±０に設定させる。又は、例えば図４に示す波形のジッタ値が検出されて、各ジッタ値が所定のジッタ値ｊｉｔｔｅｒ（ｉｆ）よりも全て大きい値とされ、且つ、最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）が、予め定められた所定値ｊｉｔｔｅｒ（ｉｓ）以下の小さい値とされた場合に、デフォーカス値を±０に設定させる。
【０１１５】
最大ジッタ値ｊｉｔｔｅｒ（ｉｍａｘ）より例えば判定値ｊｉｔｔｅｒ（ｉｓ）だけ小さい値とされるジッタ値ｊｉｔｔｅｒ（ｉｆ）よりも、最小ジッタ値ｊｉｔｔｅｒ（ｉｍｉｎ）のほうが大きい。このような場合には、ジッタ値の変化が小さいので、基準デフォーカス値を最適なデフォーカス値としてフォーカスサーボ回路５に設定する動作が、光ディスク装置１にて行われる。
【０１１６】
ＣＰＵ１０（図１）内のプログラムにおいて、「ｊｉｔｔｅｒ（ｉｍａｘ）−ｊｉｔｔｅｒ（ｉｍｉｎ）」の値に基づいて次の設定を行う。「ｊｉｔｔｅｒ（ｉｍａｘ）−ｊｉ
ｔｔｅｒ（ｉｍｉｎ）」の値が一定値ｊｉｔｔｅｒ（ｉｓ）以下の場合には、「ＤＥＦＯＣＵＳ」に０を設定させる。こうしてデフォーカス調整が終了する。
【０１１７】
このようにしてデフォーカス値の設定動作を行うと、基準デフォーカス値０を中心として、フォーカスサーボ回路５によるフォーカスサーボ動作が行われる。基準デフォーカス値０を中心とするフォーカスサーボ動作が行われるので、ＯＰＵ２におけるフォーカス制御を安定して行うことができる。
【０１１８】
このように光ディスク装置１のデフォーカス値設定方法が行われることにより、光ディスク装置１を構成するＯＰＵ２は、光ディスクＭに対し、安定したフォーカスサーボ動作を行う。最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）が、予め定められた所定値ｊｉｔｔｅｒ（ｉｓ）以下の小さい値とされた光ディスクＭは、ジッタ特性が比較的良い光ディスクＭとされる。ジッタ特性が比較的良い光ディスクＭから信号が読み出されるときには、デフォーカス値の基準値０を最適なデフォーカス値として光ディスク装置１に設定させるので、ＯＰＵ２のフォーカスサーボ動作に不具合が生じることなく、安定したフォーカスサーボ動作がＯＰＵ２にて実行される。また、光ディスク装置１におけるデフォーカス値の設定を容易に行わせることができる。
【０１１９】
図５の如く、最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）が、予め定められた所定値ｊｉｔｔｅｒ（ｉｓ）以下の小さい値とされたときに、デフォーカス値の基準値０を最適なデフォーカス値として設定させる。各ジッタ値における最大値−最小値（MAX−MIN）が一定値以下の場合には、デフォーカス値を±０に設定させる。例えば図５に示す波形のジッタ値が検出されて、デフォーカス値の基準値０におけるジッタ値ｊｉｔｔｅｒ（ｉｏ）が所定のジッタ値ｊｉｔｔｅｒ（ｉｆ）よりも大きい値とされ、且つ、最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）が、予め定められた所定値ｊｉｔｔｅｒ（ｉｓ）以下の小さい値とされた場合に、デフォーカス値を±０に設定させる。このような場合には、ジッタ値の変化が小さいので、基準デフォーカス値を最適なデフォーカス値としてフォーカスサーボ回路５に設定する動作が、光ディスク装置１にて行われる。
【０１２０】
ＣＰＵ１０（図１）内のプログラムにおいて、「ｊｉｔｔｅｒ（ｉｍａｘ）−ｊｉｔｔｅｒ（ｉｍｉｎ）」の値に基づいて次の設定を行う。「ｊｉｔｔｅｒ（ｉｍａｘ）−ｊｉｔｔｅｒ（ｉｍｉｎ）」の値が一定値ｊｉｔｔｅｒ（ｉｓ）以下の場合には、「ＤＥＦＯＣＵＳ」に０を設定させる。こうしてデフォーカス調整が終了する。
【０１２１】
このようにしてデフォーカス値の設定動作を行うと、基準デフォーカス値０を中心として、フォーカスサーボ回路５によるフォーカスサーボ動作が行われる。基準デフォーカス値０を中心とするフォーカスサーボ動作が行われるので、ＯＰＵ２におけるフォーカス制御を安定して行うことができる。
【０１２２】
このように光ディスク装置１のデフォーカス値設定方法が行われることにより、光ディスク装置１を構成するＯＰＵ２は、光ディスクＭに対し、安定したフォーカスサーボ動作を行う。最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）が、予め定められた所定値ｊｉｔｔｅｒ（ｉｓ）以下の小さい値とされた光ディスクＭは、ジッタ特性が比較的良い光ディスクＭとされる。ジッタ特性が比較的良い光ディスクＭから信号が読み出されるときには、デフォーカス値の基準値０を最適なデフォーカス値として光ディスク装置１に設定させるので、ＯＰＵ２のフォーカスサーボ動作に不具合が生じることなく、安定したフォーカスサーボ動作がＯＰ
Ｕ２にて実行される。また、光ディスク装置１におけるデフォーカス値の設定を容易に行わせることができる。
【０１２３】
上述した如く、光ディスク（Ｍ）（図１）に対しＯＢＬ３ｂのフォーカス調整を行わせ、光ディスク装置１に最適なデフォーカス値を設定させるときに、先ず始めにデフォーカス値の基準値０（図３，図４，図５）に基づいてジッタ値を検出させ、検出されたデフォーカス値の基準値０に基づくジッタ値ｊｉｔｔｅｒ（ｉｏ）が、予め定められた所定のジッタ値ｊｉｔｔｅｒ（ｉｆ）よりも大きい値とされたときに、次にデフォーカス値の基準値０を含む所定範囲（例：−８％〜＋８％／−１０％〜＋１０％）の数値内にてデフォーカス値を段階的に変更させる毎に各ジッタ値を検出させる各ジッタ値検出工程を実行させる。
【０１２４】
このように光ディスク装置１（図１）のデフォーカス値設定方法が行われることにより、最適なデフォーカス値が光ディスク装置１に設定される。光ディスク（Ｍ）に対しＯＢＬ３ｂのフォーカス調整を行わせ、最適なデフォーカス値を光ディスク装置１に設定させるときに、先ず始めにデフォーカス値の基準値０に基づいたジッタ値ｊｉｔｔｅｒ（ｉｏ）を検出させる（図２：Ｓ２）。図３、図４および図５の如く、デフォーカス値の基準値０に基づいたジッタ値ｊｉｔｔｅｒ（ｉｏ）が予め定められた所定のジッタ値ｊｉｔｔｅｒ（ｉｆ）よりも大きい値とされた光ディスク（Ｍ）（図１）は、各デフォーカス値に対応した各ジッタ値を検出／調査する必要がある光ディスク（Ｍ）とされる。図２の如く、検出されたデフォーカス値の基準値０に基づくジッタ値ｊｉｔｔｅｒ（ｉｏ）が、予め定められた所定のジッタ値ｊｉｔｔｅｒ（ｉｆ）よりも大きい値とされたときに（Ｓ３：ＹＥＳ）、次にデフォーカス値の基準値０を含む所定範囲（例：−８％〜＋８％／−１０％〜＋１０％）の数値内にてデフォーカス値を段階的に変更させる毎に各ジッタ値を検出させ（図２：Ｓ４）、検出された各ジッタ値における最大ジッタ値ｊｉｔｔｅｒ（ｉｍａｘ）と最小ジッタ値ｊｉｔｔｅｒ（ｉｍｉｎ）との差の値ｊｉｔｔｅｒ（ｉｄ）に基づいて、最適なデフォーカス値を設定させる各ジッタ値検出／比較判定／最適値設定工程を実行させる（図２：Ｓ４，Ｓ５，Ｓ６，Ｓ７／Ｓ８）。
【０１２５】
図６および図７の如く、デフォーカス値の基準値０を含みデフォーカス値の基準値０を中心とした所定範囲の数値内にて、デフォーカス値を段階的に変更させる毎にジッタ値を検出させる動作を行わせる前に、デフォーカス値の基準値０に基づいてジッタ値を検出させ、検出されたデフォーカス値の基準値０に基づくジッタ値ｊｉｔｔｅｒ（ｉｏ）が、予め定められた所定のジッタ値ｊｉｔｔｅｒ（ｉｆ）以下の小さい値とされたときに、デフォーカス値の基準値０を最適なデフォーカス値として設定させる。
【０１２６】
詳しく説明すると、光ディスクＭ（図１）に対しＯＢＬ３ｂのフォーカス調整を行わせ、光ディスク装置１に最適なデフォーカス値を設定させるときに、先ず始めにデフォーカス値の基準値０（図６）に基づいてジッタ値を検出させ、検出されたデフォーカス値の基準値０に基づくジッタ値ｊｉｔｔｅｒ（ｉｏ）が、予め定められた所定のジッタ値ｊｉｔｔｅｒ（ｉｆ）以下の小さい値とされたときに、デフォーカス値の基準値０を含む所定範囲の数値内にてデフォーカス値を段階的に変更させる毎に各ジッタ値を検出させることなく各ジッタ値検出工程を省略させ、デフォーカス値の基準値０に基づいたジッタ値ｊｉｔｔｅｒ（ｉｏ）の検出工程、及び、予め定められた所定のジッタ値ｊｉｔｔｅｒ（ｉｆ）とデフォーカス値の基準値０に基づくジッタ値ｊｉｔｔｅｒ（ｉｏ）との比較判定工程のすぐ後に、デフォーカス値の基準値０を最適なデフォーカス値として設定させる。
【０１２７】
デフォーカス値が±０のときに、ジッタ値ｊｉｔｔｅｒ（ｉｏ）が予め定められた所定のジッタ値ｊｉｔｔｅｒ（ｉｆ）以下の小さい値とされた場合に、最適なデフォーカス値を±０に設定させる。ジッタ特性が良好な光ディスクＭが使用された場合には、フォーカ
スサーボの安定性を優先させる。
【０１２８】
このように光ディスク装置１（図１）のデフォーカス値設定方法が行われることにより、ジッタ特性の良い光ディスクＭが使用される場合に、デフォーカス値の設定は速やかに行われると共に、光ディスク装置１を構成するＯＰＵ２は、光ディスクＭに対し、安定したフォーカスサーボ動作を行うこととなる。光ディスクＭに対しＯＢＬ３ｂのフォーカス調整を行わせ、光ディスク装置１に最適なデフォーカス値を設定させるときに、先ず始めにデフォーカス値の基準値０に基づいたジッタ値ｊｉｔｔｅｒ（ｉｏ）を検出させる（図２：Ｓ２）。図６の如く、デフォーカス値の基準値０に基づいたジッタ値ｊｉｔｔｅｒ（ｉｏ）が予め定められた所定のジッタ値ｊｉｔｔｅｒ（ｉｆ）以下の小さい値とされた光ディスクＭ（図１）は、ジッタ特性の良い光ディスクＭとされる。
【０１２９】
ジッタ特性の良い光ディスクＭから信号が読み出されるときには、デフォーカス値の基準値０を含む所定範囲の数値内にてデフォーカス値を段階的に変更させる毎に各ジッタ値を検出させることなく各ジッタ値検出／比較判定工程（図２：Ｓ４，Ｓ５，Ｓ６）を省略させ、デフォーカス値の基準値０に基づいたジッタ値ｊｉｔｔｅｒ（ｉｏ）の検出工程（図２：Ｓ２）、及び、予め定められた所定のジッタ値ｊｉｔｔｅｒ（ｉｆ）とデフォーカス値の基準値０に基づくジッタ値ｊｉｔｔｅｒ（ｉｏ）との比較判定工程（図２：Ｓ３）のすぐ後に、デフォーカス値の基準値０を最適なデフォーカス値として光ディスク装置１に設定させるので（図２：Ｓ８）、光ディスク装置１におけるデフォーカス値の設定時間が短縮される。また、ジッタ特性の良い光ディスクＭから信号が読み出されるときには、デフォーカス値の基準値０を最適なデフォーカス値として光ディスク装置１に設定させるので、ＯＰＵ２のフォーカスサーボ動作に不具合が生じることなく、安定したフォーカスサーボ動作がＯＰＵ２にて実行される。
【０１３０】
また、光ディスクＭ（図１）に対しＯＢＬ３ｂのフォーカス調整を行わせ、光ディスク装置１に最適なデフォーカス値を設定させるときに、先ず始めにデフォーカス値の基準値０（図７）に基づいてジッタ値を検出させ、検出されたデフォーカス値の基準値０に基づくジッタ値ｊｉｔｔｅｒ（ｉｏ）が、予め定められた所定のジッタ値ｊｉｔｔｅｒ（ｉｆ）以下の小さい値とされたときに、デフォーカス値の基準値０を含む所定範囲の数値内にてデフォーカス値を段階的に変更させる毎に各ジッタ値を検出させることなく各ジッタ値検出工程を省略させ、デフォーカス値の基準値０に基づいたジッタ値ｊｉｔｔｅｒ（ｉｏ）の検出工程、及び、予め定められた所定のジッタ値ｊｉｔｔｅｒ（ｉｆ）とデフォーカス値の基準値０に基づくジッタ値ｊｉｔｔｅｒ（ｉｏ）との比較判定工程のすぐ後に、デフォーカス値の基準値０を最適なデフォーカス値として設定させる。
【０１３１】
デフォーカス値が±０のときに、ジッタ値ｊｉｔｔｅｒ（ｉｏ）が予め定められた所定のジッタ値ｊｉｔｔｅｒ（ｉｆ）以下の小さい値とされた場合に、最適なデフォーカス値を±０に設定させる。ジッタ特性が良好な光ディスクＭが使用された場合には、フォーカスサーボの安定性を優先させる。
【０１３２】
このように光ディスク装置１（図１）のデフォーカス値設定方法が行われることにより、ジッタ特性の良い光ディスクＭが使用される場合に、デフォーカス値の設定は速やかに行われると共に、光ディスク装置１を構成するＯＰＵ２は、光ディスクＭに対し、安定したフォーカスサーボ動作を行うこととなる。光ディスクＭに対しＯＢＬ３ｂのフォーカス調整を行わせ、光ディスク装置１に最適なデフォーカス値を設定させるときに、先ず始めにデフォーカス値の基準値０に基づいたジッタ値ｊｉｔｔｅｒ（ｉｏ）を検出させる（図２：Ｓ２）。図７の如く、デフォーカス値の基準値０に基づいたジッタ値ｊｉｔｔｅｒ（ｉｏ）が予め定められた所定のジッタ値ｊｉｔｔｅｒ（ｉｆ）以下の小さい値とされた光ディスクＭ（図１）は、ジッタ特性の良い光ディスクＭとされる。また、例えば、図７の
如く、最大ジッタ値ｊｉｔｔｅｒ（ｉｍａｘ）と最小ジッタ値ｊｉｔｔｅｒ（ｉｍｉｎ）との間の各ジッタ値の全てが、予め定められた所定のジッタ値ｊｉｔｔｅｒ（ｉｆ）以下の小さい値とされた光ディスクＭ（図１）は、ジッタ特性の良い光ディスクＭとされる。
【０１３３】
ジッタ特性の良い光ディスクＭから信号が読み出されるときには、デフォーカス値の基準値０を含む所定範囲の数値内にてデフォーカス値を段階的に変更させる毎に各ジッタ値を検出させることなく各ジッタ値検出／比較判定工程（図２：Ｓ４，Ｓ５，Ｓ６）を省略させ、デフォーカス値の基準値０に基づいたジッタ値ｊｉｔｔｅｒ（ｉｏ）の検出工程（図２：Ｓ２）、及び、予め定められた所定のジッタ値ｊｉｔｔｅｒ（ｉｆ）とデフォーカス値の基準値０に基づくジッタ値ｊｉｔｔｅｒ（ｉｏ）との比較判定工程（図２：Ｓ３）のすぐ後に、デフォーカス値の基準値０を最適なデフォーカス値として光ディスク装置１に設定させるので（図２：Ｓ８）、光ディスク装置１におけるデフォーカス値の設定時間が短縮される。また、ジッタ特性の良い光ディスクＭから信号が読み出されるときには、デフォーカス値の基準値０を最適なデフォーカス値として光ディスク装置１に設定させるので、ＯＰＵ２のフォーカスサーボ動作に不具合が生じることなく、安定したフォーカスサーボ動作がＯＰＵ２にて実行される。
【０１３４】
デフォーカス値±０を最初に測定すると共に設定させるので、ジッタ値を検出するための測定時間を短縮することができる。ジッタ値が良好でないと推定／判定され各ジッタ値の検出／調査が必要とされる光ディスク（Ｍ）に対してのみ、ＯＰＵ２を備える光ディスク装置１にデフォーカス調整を実行させることができる。ジッタ値が良好でないと推定／判定され各ジッタ値の検出／調査が必要とされる光ディスク（Ｍ）に対してのみデフォーカス調整を実施させるので、ＯＰＵ２におけるジッタ特性の良い光ディスクＭの初期測定時間を短縮させることができる。また、ジッタの良い光ディスクＭに対しては、デフォーカス値を±０に設定させるので、ジッタの良い光ディスクＭに対し、安定したフォーカスサーボが実行可能となる。ジッタ値が略変化しない光ディスクＭが光ディスク装置１に装備されたときに、フォーカスサーボ回路５に対するデフォーカス値を±０に設定させるので、フォーカス落ちいわゆるＦ落ちが発生せず、安定したフォーカスサーボが実行可能となる。
【０１３５】
フォーカス落ちとは、ＯＰＵ２（図１）のＬＤ３から出射されＯＢＬ４を透過したレーザ光Ｌの焦点Ｌｓが、追従中の光ディスク（Ｍ）のピットＭｔに対してずらされ、このことから光ディスク（Ｍ）に記録されたデータが読取不能となることを意味する。
【０１３６】
上述した如く、光ディスク装置１のデフォーカス値設定方法は、デフォーカス値の基準値０を中心とした上記所定範囲内にて、デフォーカス値を上記所定％ずつ変更させる毎にジッタ値を検出することにより、最適なデフォーカス値の設定動作を行うものとされている。このような動作を行わせる前に、基準デフォーカス値を０としてデフォーカス値を設定した状態にて、ジッタ値の検出動作を行わせる。検出されたジッタ値ｊｉｔｔｅｒ（ｉｏ）が所定の値ｊｉｔｔｅｒ（ｉｆ）以下の小さい値とされた場合、即ち、光ディスクＭの再生特性が良いと判断された場合には、そのまま基準デフォーカス値０を最適なデフォーカス値として設定する動作が、光ディスク装置１にて行われる。
【０１３７】
判定動作を行うために設定されるジッタ値ｊｉｔｔｅｒ（ｉｏ）が、例えば、所定のジッタ値ｊｉｔｔｅｒ（ｉｆ）以下の小さいジッタ値として検出された場合に、光ディスクＭを良性ディスクとして判定させ、デフォーカス値の選定動作を行わなくとも、再生動作は支障無く行われる。
【０１３８】
ジッタ特性の悪い光ディスク（Ｍ）（図１）が光ディスク装置１に装備されたときに、図２の如く、Ｓ２→Ｓ３→Ｓ４→Ｓ５→Ｓ６→Ｓ７のステップに沿って光ディスク装置１
（図１）のデフォーカス値設定方法が行われることにより、光ディスク装置１のＯＰＵ２によって、ジッタ特性の悪い光ディスク（Ｍ）信号面部（Ｍｓ）から各種情報／データが読み出されるときに、フォーカス落ちが生じるということは回避される。しかしながら、このように光ディスク装置１のデフォーカス値設定方法が行われた光ディスク装置１において、ジッタ特性の悪い光ディスク（Ｍ）の信号面部（Ｍｓ）に対してＯＰＵ２のトラックジャンプを行わせるときに、ジッタ特性の悪い光ディスク（Ｍ）の信号面部（Ｍｓ）に対し、光ビームＬのスポットＬｓのトラック捕捉ができないことがある。
【０１３９】
この光ディスク装置１においては、ジッタ特性の良い光ディスクＭまたはジッタ特性の悪い光ディスク（Ｍ）に対してＯＰＵ２にトラックジャンプを行わせるときに、必要に応じて光ディスク装置１にフォーカスサーボ回路５に対するデフォーカス値を変更させる。詳しく説明すると、ジッタ特性の良い光ディスクＭに対してＯＰＵ２にトラックジャンプを行わせるときには、デフォーカス値が基準値とされる０に設定され、最適なデフォーカス値が基準値０に設定されているので、フォーカスサーボ回路５に対するデフォーカス値の設定変更は行われない。これに対し、ジッタ特性の悪い光ディスク（Ｍ）に対してＯＰＵ２にトラックジャンプを行わせるときには、基準値０以外の−１０％から＋１０％までの間の任意のデフォーカス値が最適なデフォーカス値として設定されているので、この場合は、フォーカスサーボ回路５に対して設定された最適なデフォーカス値を一時的に基準値０に変更させる。
【０１４０】
ジッタ特性の良い光ディスクＭの信号面部Ｍｓに対してＯＰＵ２にトラックジャンプを行わせるときや、ジッタ特性の悪い光ディスク（Ｍ）の信号面部（Ｍｓ）に対してＯＰＵ２にトラックジャンプを行わせるときに、必要に応じてデフォーカス値を設定変更させるので、ジッタ特性の悪い光ディスク（Ｍ）の信号面部（Ｍｓ）に対してＯＰＵ２にトラックジャンプを行わせる時に、ジッタ特性の悪い光ディスク（Ｍ）の信号面部（Ｍｓ）に対し、光ビームＬのスポットＬｓのトラック捕捉ができないことがあるという不具合の発生は回避され易くなる。従って、ジッタ特性の悪い光ディスク（Ｍ）の信号面部（Ｍｓ）に対するＯＰＵ２のトラックジャンプは、良好に行われ易くなる。
【０１４１】
また、ジッタ特性の良い光ディスクＭに対してＯＰＵ２にトラックジャンプを行わせる時には、フォーカスサーボ回路５に対するデフォーカス値の設定変更が行われないので、光ディスクＭに対するＯＰＵ２のトラックジャンプは、迅速に行われる。デフォーカス値に基準値０が設定されたときには、光ディスクＭに対してＯＰＵ２のトラックジャンプを行わせるときに、フォーカスサーボ回路５に対するデフォーカス値の一時的な設定変更が行われることなく、ＯＰＵ２のトラックジャンプが行われる。
【０１４２】
次に、基準値０以外のデフォーカス値が設定されたときに、ＯＰＵ２のトラックジャンプが行われるときの状態について説明する。
【０１４３】
先ず、光ディスク装置１（図１）のデフォーカス調整が行われる。このとき、デフォーカス値が基準値０以外の数値に設定される。トラックジャンプ開始前に、デフォーカス値に基準値０を設定させる。トラックジャンプ動作を実行させる。トラックジャンプが終了したのちに、デフォーカス値を元の基準値０以外の数値に設定させる。
【０１４４】
詳しく説明すると、最適なデフォーカス値が基準値０以外の数値に設定された場合（図３）において、光ディスク（Ｍ）（図１）に対し、ＯＰＵ２にトラックジャンプを行わせるときに、デフォーカス値を一時的に基準値０に設定させる。
【０１４５】
このようにデフォーカス値が設定されることにより、デフォーカス値の基準値０以外の数値（例：＋６％）が、最適なデフォーカス値として設定されていても、光ディスク（Ｍ
）に対するＯＰＵ２のトラックジャンプは、良好に行われる。光ディスク（Ｍ）に対するＯＰＵ２のデフォーカス調整が行われて、デフォーカス値が基準値０以外の数値（＋６％）に設定された場合には、光ディスク（Ｍ）に対するＯＰＵ２のトラックジャンプが行われるときに、光ディスク（Ｍ）のトラック捕捉ができないことがあった。しかしながら、デフォーカス値が基準値０以外の数値に設定された場合であっても、ＯＰＵ２にトラックジャンプを行わせるときに、デフォーカス値を一時的に基準値０に設定させることにより、光ディスク（Ｍ）に対するＯＰＵ２のトラックジャンプは、正常に行われ易くなる。
【０１４６】
光ディスク（Ｍ）に対するＯＰＵ２のトラックジャンプが終了したのちに、デフォーカス値を再び基準値０以外の数値（例：＋６％）に戻す（図３）。
【０１４７】
これによって、光ディスク装置１に最適なデフォーカス値が再び設定される。光ディスク（Ｍ）に対しＯＰＵ２のトラックジャンプが行われていないときには、デフォーカス値の基準値０以外の数値を再び最適なデフォーカス値として光ディスク装置１に設定させるので、光ディスク（Ｍ）に対するＯＰＵ２のＯＢＬ２のフォーカス調整は、良好に行われる。また、先に第二メモリ回路１２に保存させた基準値０以外のデフォーカス値を、再度、最適なデフォーカス値として光ディスク装置１に設定させるので、最適なデフォーカス値の再設定が素早く行われる。
【０１４８】
図１に示す光ディスク装置１は、上記光ディスク装置１のデフォーカス値設定方法が実行可能とされている。これにより、最適なデフォーカス値を設定可能な光ディスク装置１の提供が可能となる。Ｆ落ちが防止され、安定したフォーカスサーボが、ＯＰＵ２を備える光ディスク装置１にて実行される。また、上記光ディスク装置１のデフォーカス値設定方法が実行可能な光ディスク装置１が構成されることにより、最適なデフォーカス値が自在に設定可能とされると共に、ジッタ特性の悪い光ディスク（Ｍ）が光ディスク装置１に装備されても、ジッタ特性の悪い光ディスク（Ｍ）の信号面部（Ｍｓ）に対するトラックジャンプが良好に行われ易いＯＰＵ２を有する光ディスク装置１の提供が可能となる。
【０１４９】
ＯＰＵ２を備える光ディスク装置１は、光ディスクにデータ／情報を記録させたり、光ディスクのデータを再生させたりする記録・再生装置に使用可能とされる。また、ＯＰＵ２を備える光ディスク装置１は、光ディスクのデータ／情報を再生させる再生専用装置にも使用可能とされる。
【０１５０】
また、ＯＰＵ２は、例えば、コンピュータ、音響／映像機器などに組み付けられる光ディスク装置１に装備される。ＯＰＵ２を備える光ディスク装置１は、例えば、ノート型パーソナルコンピュータや、ラップトップ型パーソナルコンピュータや、デスクトップ型パーソナルコンピュータなどのコンピュータや、「ＣＤ」、「ＤＶＤ」、「ＨＤ−ＤＶＤ」、「Blu ray Disc」などに対応した音響／映像機器などに装備可能とされる（何れも図示せず）。
【０１５１】
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、その等価物も含まれる。
【図面の簡単な説明】
【０１５２】
【図１】本発明に係る光ディスク装置の一実施形態を示す構成図である。
【図２】本発明に係る光ディスク装置のデフォーカス値設定方法の一実施形態を示すフローチャートである。
【図３】デフォーカス値とジッタ値との関係を示すグラフである。
【図４】同じくデフォーカス値とジッタ値との関係を示すグラフである。
【図５】同じくデフォーカス値とジッタ値との関係を示すグラフである。
【図６】同じくデフォーカス値とジッタ値との関係を示すグラフである。
【図７】同じくデフォーカス値とジッタ値との関係を示すグラフである。
【符号の説明】
【０１５３】
１    光ディスク装置（ディスク装置）
２    ＯＰＵ（ピックアップ装置）
３ａ  ＬＤ（発光素子）
３ｂ  ＯＢＬ（対物レンズ）
３ｃ  ＰＤＩＣ（光検出器）
３ｄ  フォーカシングコイル（フォーカスコイル）
４    フロントエンド処理部（光出力信号処理回路）
５    ＥＱ（フォーカスサーボ回路）
６    ドライバ（フォーカシングコイル駆動回路）
７    ＲＦ信号増幅／処理回路（信号処理回路）
８    デジタル信号処理回路
９    ジッタ計測回路（ジッタ値検出回路）
１０  ＣＰＵ（システム制御回路）
１１  ＲＯＭ（メモリ回路）
１２  ＲＡＭ（メモリ回路）
１３  デフォーカス値設定回路
Ｄｆ  フォーカシング方向（方向）
Ｄｔ  トラッキング方向（方向）
Ｌ    ビーム（光）
Ｌｓ  スポット（焦点）
Ｍ    光ディスク
Ｍｆ  表面（面）
Ｍｓ  信号面部（信号層）
【図１】
2008181629.tif 000003
【図２】
2008181629.tif 000004
【図３】
2008181629.tif 000005
【図４】
2008181629.tif 000006
【図５】
2008181629.tif 000007
【図６】
2008181629.tif 000008
【図７】
2008181629.tif 000009